(57)【要約】【課題】  水密性に優れ、且つこれまでにない斬新な意匠を実現できるドアの提供。【解決手段】  竪框２ａ，２ｂと横框５，６とから成る枠内に透明ないし半透明のパネル７を嵌め込んで構成したドアにおいて、竪框２ａ，２ｂは、その前面又は後面にパネルの片面が対峙し、その面の内周側縁部にパネル保持部材８を有し、その面の外周側縁部にパネルの側端部が差し込まれるパネル挿入溝１０を有し、該溝の内面にパネルのもう片方の面に当接するパネル保持部材９を有している。把手１が設けられる方の竪框２ａの上端部及び下端部の外周側側面３に、ドアの開閉に応じてドア枠に自動的に係脱するラッチ４を各々設置した。【選択図】      図２
2004324402.tif 000002
【特許請求の範囲】
【請求項１】
把手が設けられる方の竪框の上端部及び下端部の外周側側面に、ドアの開閉に応じてドア枠に自動的に係脱するラッチを各々設置したことを特徴とするドア。
【請求項２】
竪框と横框とから成る枠内に透明ないし半透明のパネルを嵌め込んで構成したドアにおいて、竪框は、その前面又は後面にパネルの片面が対峙し、その面の内周側縁部にパネル保持部材を有し、その面の外周側縁部にパネルの側端部が差し込まれるパネル挿入溝を有し、該溝の内面にパネルのもう片方の面に当接するパネル保持部材を有していることを特徴とするドア。
【発明の詳細な説明】
【技術分野】
【０００１】
本発明は、竪横の框からなる枠にパネルを嵌め込んで構成したドアに関するもので、特に浴室の出入口に設置する浴室用ドアに適したドアに関する。
【背景技術】
【０００２】
図８は従来の一般的な浴室用ドアの一例を示している。このドア９０は、竪框９１と横框９２とから成る枠に、樹脂製の半透明のパネル９３を嵌め込んで構成され、躯体開口部に取付けられたドア枠９４に、ピボットヒンジ９５によりスイング式に開閉自在に支承されている。一方の竪框９１のほぼまん中の高さ位置には、ドアを開閉するためのハンドルと、該ハンドルの回動操作に連動して動くラッチ錠が一体となったラッチハンドル９６が設けられている。竪框９１は、図９に示すように中空の矩形断面の部材となっており、内周側側面にパネルの端部を嵌め込むための溝９７を備え、該溝にグレイジングチャンネル９８を介してパネルの端部が保持されている。
【特許文献１】特開２００１−７３６４８号公報（図１、図２）
【発明の開示】
【発明が解決しようとする課題】
【０００３】
浴室用ドアには高い水密性が求められる。従来のドアは、閉めた時に竪框の中央に設けた一つのラッチ錠によってドア枠に固定されているだけで、竪框の上端部及び下端部は何ら固定されずにふらふらの状態となっている。加えて、ドアを取付ける躯体が歪んでいるためにドア枠が歪んだ状態で取付けられていることがあり、そのような場合にドアの上下端部とドア枠との間に隙間が空き、その隙間から水が漏れることがあった。また従来のドアでは、パネルを嵌め込んである溝から框内部に水が浸入し、その水が框の内面を伝わってドアの下部に溜まり、浴室の外に漏出することがあった。
【０００４】
またドアは、水密性等の機能面も重要であるが、意匠面も重要である。近年、一般家庭の居住空間においても、ホテルのように明るく開放的な中にも高級感が漂うシックなスタイルが好まれ、特に脱衣室側はユニット化された家具が設置されたりして、機能的な空間が構成されるようになっており、浴室用ドアの意匠性の向上に対する要望は大きい。従来のドアは、竪框にラッチハンドルを設ける関係上、竪框の見付・見込寸法がある程度決まってしまい、デザインを重視した自由な設計ができなかった。また、框の内周側側面に設けた溝でパネルを保持する構造のため、ドアの表側と裏側とで見た目が同一であり、面白味が無かった。
【０００５】
本発明は以上に述べた実情に鑑みてなされたものであって、水密性に優れ、且つこれまでにない斬新な意匠を実現できるドアの提供を目的とする。
【課題を解決するための手段】
【０００６】
上記の課題を達成するために請求項１記載の発明によるドアは、把手が設けられる方の竪框の上端部及び下端部の外周側側面に、ドアの開閉に応じてドア枠に自動的に係脱するラッチを各々設置したことを特徴とする。ここで「ドアの開閉に応じてドア枠に自動的に係脱するラッチ」とは、ラッチの爪がバネ等によって付勢してあって、ドアを開こうとすればラッチの爪が自動的にドア枠側の受け部から外れ、ドアを閉めるとラッチの爪が自動的にドア枠側の受け部と係合するものをいう。具体的には、ローラーラッチ等を用いることができる。この発明によれば、竪框の上端部と下端部の二箇所がラッチによってドア枠に固定されるため、ドアの上部下部とドア枠との間に隙間が空き難く、高い水密性が発揮される。また、竪框にラッチハンドルを設けないことで竪框の設計の自由度が増すから、ドアの意匠の向上に役立つものである。
【０００７】
請求項２記載の発明によるドアは、竪框と横框とから成る枠内に透明ないし半透明のパネルを嵌め込んで構成したドアにおいて、竪框は、その前面又は後面にパネルの片面が対峙し、その面の内周側縁部にパネル保持部材を有し、その面の外周側縁部にパネルの側端部が差し込まれるパネル挿入溝を有し、該溝の内面にパネルのもう片方の面に当接するパネル保持部材を有していることを特徴とする。ここで「パネル保持部材」とは、パネルを弾性保持するゴム質の部材をいう。また、「内周側」ないし「外周側」とは、竪框と横框から成る枠の内周側ないし外周側のことをいう。このように形成すると、竪框の内部に水が浸入することがなく、しかもパネルの側端部が、左右方向に離間して配置されたパネル保持部材により相反する力で押さえられ、パネル固定の安定性及び水密性が高いことから、ドア自体の水密性が非常に良くなる。また、本ドアを前側から見た時と後側から見た時とでは、竪框の見え方が異なる。すなわち、一方では竪框が普通に見えるのに対して、他方では竪框がパネルにほとんど隠れる状態となるから、とりわけ透明なパネルを用いた場合にクリスタルな面が強調された斬新な意匠となる。
【発明の効果】
【０００８】
請求項１記載の発明によれば、竪框の上端部と下端部の二箇所がラッチによってドア枠に固定されるため、ドアの上部下部とドア枠との間に隙間が空くことを防ぎ、高い水密性が発揮される。また、ラッチハンドルの取付寸法にとらわれることなく、竪框の設計を比較的自由に行い得ることから、デザインを重視したドアの設計が容易となる。
【０００９】
請求項２記載の発明によれば、竪框の内部に水が浸入することがなく、しかもパネルが、左右方向に離間して配置されたパネル保持部材により相反する力で押さえられることで、パネル固定の安定性及び水密性が良好となるから、ドア自体の水密性が非常に高くなる。また、パネルの前後面を保持するパネル保持部材が左右方向に離間して配置してあることで、竪框へのパネルの嵌め込みが容易に行える。さらに、本発明のドアは、前側から見た時と後側から見た時とでは、竪框の見え方が異なる。すなわち、一方では竪框が普通に見えるのに対して、他方では竪框がパネルにほとんど隠れる状態となるから、とりわけ透明なパネルを用いた場合にクリスタルな面が強調された斬新な意匠となる。
【発明を実施するための最良の形態】
【００１０】
以下、本発明の実施の形態を図面に基づいて説明する。図１〜図５は、本発明のドアの一実施形態であって、浴室と脱衣室との間に設けられる浴室用ドアを示している。図１（イ）は浴室側から見たドアの正面図、図１（ロ）は脱衣室側から見たドアの正面図、図２は図１におけるＡ−Ａ断面図、図３は図１におけるＢ−Ｂ断面図、図４は図１におけるＸ部の詳細図、図５は同部分をドアを開いた状態で脱衣室側から見た斜視図である。
【００１１】
浴室への入口用に設けられた躯体開口部にはドア枠１１が固定して設置され、その内側にドア１２が上下のピボットヒンジ１３ａ，１３ｂにより開閉自在に設置されている。ドア枠１１の内周には複数のタイト材１４ａ，１４ｂ，１４ｃ，１４ｄを設けて、ドア１２との間にできる隙間を塞いである。ドア１２は、左右の竪框２ａ，２ｂと上框５と下框６とから成る枠に、ポリカーボネート樹脂やアクリル樹脂等による無色透明のパネル７を嵌め込んで構成したものである。把手１が設けられた方の竪框２ａの上端部と下端部の外周側側面３には、図４と図５に示すような形で、市販のローラーラッチ４を取付けてある。ローラーラッチ４は、バネ１５で付勢されたラッチの爪がローラー１６になったもので、ローラー１６の飛び出し量を調節できるものであればより好ましい。ドア枠１１側には、ローラー１６がぴったり納まる凹みを持ったラッチ受け１７を取付けてある。本ドアは、把手１を手で掴み、単に押したり引いたりするだけで開閉できる。ドアを閉じた時には、竪框２ａの上下の端部がローラーラッチ４によりドア枠１１に固定されるから、ドア１２の上下の端部とドア枠１１との間に隙間が空くことがなく、水漏れを防止できる。またラッチを中央に設けた場合と比べ、ラッチが目障りとならず、ラッチやラッチ受けに手指を引っ掛かってケガをすることも防止できる。
【００１２】
竪框２ａ，２ｂは、図２に示すように、横長の矩形断面を有する中空の部材であり、脱衣室側面１８の略全域がパネル７の浴室側面と対峙しており、その面の内周側縁部にシール部材８を設けてある。また、竪框２ａ，２ｂの脱衣室側面１８の外周側縁部には、パネル７の側端部が差し込まれるパネル挿入溝１０を有している。その溝の内面側であって、パネル７の脱衣室側面と対峙する部分には、パネルの端部を押さえるタイト材９を設けてある。このようにパネル７は、その側端部が、左右方向に離れて配置されたシール部材８とタイト材９により相反する方向に両側から押され、竪枠に強固に保持されている。竪框２ａ，２ｂの浴室側面１９の外周側の角部は、緩やかなテーパー面２０を設けて面取りがされ、竪框２ａ，２ｂがスリムに見えるようにしている。パネル７の浴室側面の、竪框２ａ，２ｂと対峙する範囲には、ブラックシルク印刷２１が施されている。なお、竪框２ａ，２ｂはアルミの押出し形材であり、表面の色は例えば白等の明るい色としてある。
【００１３】
上框５は、図３に示すように、浴室側の部分を構成する本体部材５ａと、本体部材５ａに係合し且つネジ止めされ、脱衣室側の部分を構成する押縁材５ｂの二部材によって構成してある。パネル７の上端部は、本体部材５ａに設けたシール部材２２と押縁材５ｂに設けたタイト材２３とにより挟持されている。下框６も、上框５と同じように、浴室側の本体部材６ａと、脱衣室側の押縁材６ｂとで構成してある。下框６には、浴室内の湿気を脱衣室側に逃がすための通気孔２４を設けてある。上框及び下框の本体部材５ａ，６ａは、竪框２ａ，２ｂと同じ白っぽい色としてあり、上下の押縁材５ｂ，６ｂは黒色としてある。
【００１４】
次に、本ドアの組み立て方を述べる。まずパネル７の側端部に、左右の竪框２ａ，２ｂを嵌め込む。竪框２ａ，２ｂには、シール部材８及びタイト材９を予め設置しておく。シール部材８とタイト材９は左右方向に離れているので、竪框２ａ，２ｂをパネル面に対して若干傾けた状態で、シール部材８とタイト材９の間にパネル７の端部を差し込むようにすれば、パネルの嵌め込みを難無く行うことができ、グレイジングチャンネルを用いた従来の構造よりも簡単である。次に、左右の竪框２ａ，２ｂの上端部及び下端部に、上框の本体部材５ａ、下框の本体部材６ａを各々渡し、それらをビス（図示省略）で竪枠２ａ，２ｂに固定する。これによりパネルを囲む枠組が構成される。最後に上框及び下框の本体部材５ａ，６ａに、押縁材５ｂ，６ｂを各々取付ける。これによりパネル７の上下の端部も保持され、ドアとしての形が完成する。後は、把手１とローラーラッチ４を竪框２ａに取付け、通常の方法でこのドア１２をドア枠１１に設置する。
【００１５】
このドアを浴室側から見た時には、図１（イ）に示すように竪框２ａ，２ｂの浴室側面１９が全部すっきりと見え、尚且つ竪框２ａ，２ｂと横框５，６は白っぽい明るい色となっているので、入浴している者に安心感と落ち着きを与える。一方、脱衣室側から見た時には、図１（ロ）に示すように竪框２ａ，２ｂがパネル７の側部に覆われてほとんど見えず、尚且つ竪框２ａ，２ｂと対峙するパネル７の浴室面側にブラックシルク印刷２１を施すと共に上下の押縁材５ｂ，６ｂを黒色としたので、無色透明なパネルのクリスタルな感触が強調され、シックで洒落た印象を見る者に与える。
【００１６】
図６は、本発明の別の実施形態であって、袖付の浴室用ドアユニットを示している。ドア枠１１は先のものよりも横幅が大きく、中間部に竪桟２５を設けてあり、ドアが取付けられる開口部を左右二箇所に有している。浴室側から見て左側の開口部には、図１から図５に示したものと同じ開閉するドア１２が設置してある。右側の開口部には、ドア自体の構造としては同じ構造の別のドア２６を、Ｆｉｘ状態に固定して設置してある。このように本発明のドアを横に並べてユニット化した場合、Ｆｉｘとしたドア２６には窓としての機能はないものの、同じ形として存在する為、本発明の意匠上の効果が倍増することとなる。図７は、袖付の浴室用ドアユニットの別の実施形態を示している。この実施形態では、開閉するドア１２とＦｉｘのドア２６の高さを違えている。Ｆｉｘのドア２６の下側は壁になっていて、その前の脱衣室側のスペースには、家具や洗濯機等を設置できる。
【００１７】
本発明は以上に述べた実施形態に限定されない。本発明は、浴室用ドアに限らず、他の室内用のドアや、店舗等の入口用のドア等、あらゆるドアに適用することができる。また本発明の内、ラッチに係る部分とパネルの保持構造に係る部分とは、同時に実施した場合が最も効果的であるが、それぞれ別々に実施することもできる。また、実施形態として記載した浴室用ドアでは、框の色を浴室側を白、脱衣室側を黒としたが、その組合せに限らず、好みに応じて自由に選択することができるし、同色であってもよい。パネルは、半透明の樹脂パネルや、透明ないし半透明のガラスを用いることもできる。
【図面の簡単な説明】
【００１８】
【図１】本発明に係る浴室用ドアの一実施形態であって、（イ）図は浴室側から見た正面図であり、（ロ）図は脱衣室側から見た正面図である。
【図２】図１におけるＡ−Ａ断面図である。
【図３】図１におけるＢ−Ｂ断面図である。
【図４】図１におけるＸ部詳細図である。
【図５】図１のＸ部を、ドアを開いた状態で脱衣室側から見た斜視図である。
【図６】本発明に係る浴室用ドアの別の実施形態であって、（イ）図は浴室側から見た正面図、（ロ）図は脱衣室側から見た正面図である。
【図７】本発明に係る浴室用ドアのさらに別の実施形態であって、（イ）図は浴室側から見た正面図、（ロ）図は脱衣室側から見た正面図である。
【図８】従来の浴室用ドアの正面図である。
【図９】従来のドアにおける竪框の横断面図である。
【符号の説明】
【００１９】
１  把手
２ａ，２ｂ  竪框
３  竪框の外周側側面
４  ローラーラッチ（ラッチ）
５  上框（横框）
６  下框（横框）
７  パネル
８  シール部材（パネル保持部材）
９  タイト材（パネル保持部材）
１０  パネル挿入溝
１１  ドア枠
１２  ドア（開閉）
２６  ドア（Ｆｉｘ）
１３ａ，１３ｂ  ピボットヒンジ
１７  ラッチ受け
２０  テーパー面
２１  ブラックシルク印刷
【図１】
2004324402.tif 000003
【図２】
2004324402.tif 000004
【図３】
2004324402.tif 000005
【図４】
2004324402.tif 000006
【図５】
2004324402.tif 000007
【図６】
2004324402.tif 000008
【図７】
2004324402.tif 000009
【図８】
2004324402.tif 000010
【図９】
2004324402.tif 000011